(57)【要約】【課題】  校正の対象となる画像の辺縁にその校正の管理を行うための画像が付加されたカラープルーフ用画像と、校正の対象となった画像のみから成る印刷用画像の双方を効率良く出力することができる画像出力システム、制御装置、画像出力方法、その方法を実行させるためのプログラム、及び、そのプログラムを記憶した記憶媒体を提供する。【解決手段】  画像データ配置部２５は、画像データ解析加工部２１により解析された最終印刷用の画像データを、不図示の出力バッファの当該画像データを出力する記録用紙の画像出力領域に相当するデータ領域内の指定された位置に配置し、さらに、画像データ選択部２３により選択された従属画像データを従属画像データ記憶部２２に記憶された複数の中から読み出して、これを上述したデータ領域内の配置指定部２４により指定された位置に上書きする。これにより、カラープルーフ用画像データが作成される。【選択図】      図３
2005119089.tif 000002
【特許請求の範囲】
【請求項１】
外部装置から受けた主たるラスター画像データを保存する保存手段と、
前記主たるラスター画像データの辺縁に配置するための従属画像データを予め記憶する記憶手段と、
記録用紙の画像出力領域に相当するデータ領域内に、前記保存された主たるラスター画像データを配置すると共に、その辺縁に前記記憶された従属画像データを配置する画像配置手段と、
前記データ領域内に主たるラスター画像データ及び従属画像データが配置されたカラープルーフ用ラスター画像データを出力指示信号と共に送信する出力制御手段と、を有する制御装置と、
前記送信されたカラープルーフ用ラスター画像データと出力指示信号を受けて、前記カラープルーフ用ラスター画像データに基づく画像を前記記録用紙に出力することでカラープルーフを作成する画像出力装置と、を備えたことを特徴とする画像出力システム。
【請求項２】
前記主たるラスター画像データに基づく画像は、校正を行う対象となる画像であり、
前記従属画像データに基づく画像は、前記校正の管理を行うための画像であることを特徴とする請求項１記載の画像出力システム。
【請求項３】
外部装置から受けた主たる画像データを保存する保存手段と、
前記主たる画像データの辺縁に配置するための従属画像データを予め記憶する記憶手段と、
前記保存された主たる画像データをラスター化することで主たるラスター画像データを生成する加工手段と、
記録用紙の画像出力領域に相当するデータ領域内に、前記生成された主たるラスター画像データを配置すると共に、その辺縁に前記記憶された従属画像データを配置する画像配置手段と、
前記データ領域内に主たるラスター画像データ及び従属画像データが配置されたカラープルーフ用ラスター画像データを出力指示信号と共に送信する出力制御手段と、を有する制御装置と、
前記送信されたカラープルーフ用ラスター画像データと出力指示信号を受けて、前記カラープルーフ用ラスター画像データに基づく画像を前記記録用紙に出力することでカラープルーフを作成する画像出力装置と、を備えたことを特徴とする画像出力システム。
【請求項４】
前記主たる画像データに基づく画像は、校正を行う対象となる画像であり、
前記従属画像データに基づく画像は、前記校正の管理を行うための画像であることを特徴とする請求項３記載の画像出力システム。
【請求項５】
前記記憶手段は、前記従属画像データを複数記憶すると共に、
前記画像配置手段は、前記記憶された複数の従属画像データの中から出力対象とする従属画像データを選択するための選択手段と、前記選択された従属画像データの配置を指定するための指定手段と、を有していることを特徴とする請求項１乃至請求項４の何れか一項に記載の画像出力システム。
【請求項６】
前記外部装置は、前記主たる画像データを印刷用画像データとしてプレートセッタへ出力するラスターイメージプロセッサであることを特徴とする請求項１乃至請求項５の何れか一項に記載の画像出力システム。
【請求項７】
前記画像出力装置は、カラーレーザープリンタであることを特徴とする請求項１乃至請求項６の何れか一項に記載の画像出力システム。
【請求項８】
ラスター画像データと出力指示信号を受けて前記ラスター画像データに基づく画像を記録用紙に出力することでカラープルーフを作成する画像出力装置に対して、その出力指示を行う制御装置であって、
外部装置から受けた主たるラスター画像データを保存する保存手段と、
前記主たるラスター画像データの辺縁に配置するための従属画像データを予め記憶する記憶手段と、
前記記録用紙の画像出力領域に相当するデータ領域内に、前記保存された主たるラスター画像データを配置すると共に、その辺縁に前記記憶された従属画像データを配置する画像配置手段と、
前記データ領域内に主たるラスター画像データ及び従属画像データが配置されたカラープルーフ用ラスター画像データを、前記ラスター画像データとして、前記出力指示信号と共に前記画像出力装置へ送信する出力制御手段と、を有することを特徴とする制御装置。
【請求項９】
前記主たるラスター画像データに基づく画像は、校正を行う対象となる画像であり、
前記従属画像データに基づく画像は、前記校正の管理を行うための画像であることを特徴とする請求項８記載の制御装置。
【請求項１０】
ラスター画像データと出力指示信号を受けて前記ラスター画像データに基づく画像を記録用紙に出力することでカラープルーフを作成する画像出力装置に対して、その出力指示を行う制御装置であって、
外部装置から受けた主たる画像データを保存する保存手段と、
前記主たる画像データの辺縁に配置するための従属画像データを予め記憶する記憶手段と、
前記保存された主たる画像データをラスター化することで主たるラスター画像データを生成する加工手段と、
前記記録用紙の画像出力領域に相当するデータ領域内に、前記生成された主たるラスター画像データを配置すると共に、その辺縁に前記記憶された従属画像データを配置する画像配置手段と、
前記データ領域内に主たるラスター画像データ及び従属画像データが配置されたカラープルーフ用ラスター画像データを、前記ラスター画像データとして、前記出力指示信号と共に前記画像出力装置へ送信する出力制御手段と、を有することを特徴とする制御装置。
【請求項１１】
前記主たる画像データに基づく画像は、校正を行う対象となる画像であり、
前記従属画像データに基づく画像は、前記校正の管理を行うための画像であることを特徴とする請求項１０記載の制御装置。
【請求項１２】
前記記憶手段は、前記従属画像データを複数記憶すると共に、
前記画像配置手段は、前記記憶された複数の従属画像データの中から出力対象とする従属画像データを選択するための選択手段と、前記選択された従属画像データの配置を指定するための指定手段と、を有していることを特徴とする請求項８乃至請求項１１の何れか一項に記載の制御装置。
【請求項１３】
前記外部装置は、前記主たる画像データを印刷用画像データとしてプレートセッタへ出力するラスターイメージプロセッサであることを特徴とする請求項８乃至請求項１２の何れか一項に記載の制御装置。
【請求項１４】
前記画像出力装置は、カラーレーザープリンタであることを特徴とする請求項８乃至請求項１３の何れか一項に記載の制御装置。
【請求項１５】
ラスター画像データと出力指示信号を受けて前記ラスター画像データに基づく画像を記録用紙に出力することでカラープルーフを作成する画像出力装置に対して、その出力指示を行う制御装置における画像出力方法であって、
外部装置から受けた主たるラスター画像データを保存する保存ステップと、
前記主たるラスター画像データの辺縁に配置するための従属画像データを予め記憶する記憶ステップと、
前記記録用紙の画像出力領域に相当するデータ領域内に、前記保存された主たるラスター画像データを配置すると共に、その辺縁に前記記憶された従属画像データを配置する画像配置ステップと、
前記データ領域内に主たるラスター画像データ及び従属画像データが配置されたカラープルーフ用ラスター画像データを、前記ラスター画像データとして、前記出力指示信号と共に前記画像出力装置へ送信する出力制御ステップと、を含むことを特徴とする画像出力方法。
【請求項１６】
前記主たるラスター画像データに基づく画像は、校正を行う対象となる画像であり、
前記従属画像データに基づく画像は、前記校正の管理を行うための画像であることを特徴とする請求項１５記載の画像出力方法。
【請求項１７】
ラスター画像データと出力指示信号を受けて前記ラスター画像データに基づく画像を記録用紙に出力することでカラープルーフを作成する画像出力装置に対して、その出力指示を行う制御装置における画像出力方法であって、
外部装置から受けた主たる画像データを保存する保存ステップと、
前記主たる画像データの辺縁に配置するための従属画像データを予め記憶する記憶ステップと、
前記保存された主たる画像データをラスター化することで主たるラスター画像データを生成する加工ステップと、
前記記録用紙の画像出力領域に相当するデータ領域内に、前記生成された主たるラスター画像データを配置すると共に、その辺縁に前記記憶された従属画像データを配置する画像配置ステップと、
前記データ領域内に主たるラスター画像データ及び従属画像データが配置されたカラープルーフ用ラスター画像データを、前記ラスター画像データとして、前記出力指示信号と共に前記画像出力装置へ送信する出力制御ステップと、を含むことを特徴とする画像出力方法。
【請求項１８】
前記主たる画像データに基づく画像は、校正を行う対象となる画像であり、
前記従属画像データに基づく画像は、前記校正の管理を行うための画像であることを特徴とする請求項１７記載の画像出力方法。
【請求項１９】
前記記憶ステップでは、前記従属画像データを複数記憶すると共に、
前記画像配置ステップは、前記記憶された複数の従属画像データの中から出力対象とする従属画像データが選択される選択ステップと、前記選択された従属画像データの配置が指定される指定ステップと、を有していることを特徴とする請求項１５乃至請求項１８の何れか一項に記載の画像出力方法。
【請求項２０】
前記外部装置は、前記主たる画像データを印刷用画像データとしてプレートセッタへ出力するラスターイメージプロセッサであることを特徴とする請求項１５乃至請求項１９の何れか一項に記載の画像出力方法。
【請求項２１】
前記画像出力装置は、カラーレーザープリンタであることを特徴とする請求項１５乃至請求項２０の何れか一項に記載の画像出力方法。
【請求項２２】
ラスター画像データと出力指示信号を受けて前記ラスター画像データに基づく画像を記録用紙に出力することでカラープルーフを作成する画像出力装置に対して、その出力指示を行う制御装置のコンピュータにおいて実行されるプログラムであって、
外部装置から受けた主たるラスター画像データを保存する保存処理ステップと、
前記主たるラスター画像データの辺縁に配置するための従属画像データを予め記憶する記憶処理ステップと、
前記記録用紙の画像出力領域に相当するデータ領域内に、前記保存された主たるラスター画像データを配置すると共に、その辺縁に前記記憶された従属画像データを配置する画像配置処理ステップと、
前記データ領域内に主たるラスター画像データ及び従属画像データが配置されたカラープルーフ用ラスター画像データを、前記ラスター画像データとして、前記出力指示信号と共に前記画像出力装置へ送信する出力制御処理ステップと、を含むことを特徴とするプログラム。
【請求項２３】
前記主たるラスター画像データに基づく画像は、校正を行う対象となる画像であり、
前記従属画像データに基づく画像は、前記校正の管理を行うための画像であることを特徴とする請求項２２記載のプログラム。
【請求項２４】
ラスター画像データと出力指示信号を受けて前記ラスター画像データに基づく画像を記録用紙に出力することでカラープルーフを作成する画像出力装置に対して、その出力指示を行う制御装置のコンピュータにおいて実行されるプログラムであって、
外部装置から受けた主たる画像データを保存する保存処理ステップと、
前記主たる画像データの辺縁に配置するための従属画像データを予め記憶する記憶処理ステップと、
前記保存された主たる画像データをラスター化することで主たるラスター画像データを生成する加工処理ステップと、
前記記録用紙の画像出力領域に相当するデータ領域内に、前記生成された主たるラスター画像データを配置すると共に、その辺縁に前記記憶された従属画像データを配置する画像配置処理ステップと、
前記データ領域内に主たるラスター画像データ及び従属画像データが配置されたカラープルーフ用ラスター画像データを、前記ラスター画像データとして、前記出力指示信号と共に前記画像出力装置へ送信する出力制御処理ステップと、を含むことを特徴とするプログラム。
【請求項２５】
前記主たる画像データに基づく画像は、校正を行う対象となる画像であり、
前記従属画像データに基づく画像は、前記校正の管理を行うための画像であることを特徴とする請求項２４記載のプログラム。
【請求項２６】
前記記憶処理ステップでは、前記従属画像データを複数記憶すると共に、
前記画像配置処理ステップは、前記記憶された複数の従属画像データの中から出力対象とする従属画像データを選択するための選択画面を表示する選択画面表示処理ステップと、前記選択画面において選択された従属画像データの配置を指定するための指定画面を表示する指定画面表示処理ステップと、を有していることを特徴とする請求項２２乃至請求項２５の何れか一項に記載のプログラム。
【請求項２７】
前記外部装置は、前記主たる画像データを印刷用画像データとしてプレートセッタへ出力するラスターイメージプロセッサであることを特徴とする請求項２２乃至請求項２６の何れか一項に記載のプログラム。
【請求項２８】
前記画像出力装置は、カラーレーザープリンタであることを特徴とする請求項２２乃至請求項２７の何れか一項に記載のプログラム。
【請求項２９】
請求項２２乃至請求項２８の何れか一項に記載のプログラムを前記制御装置のコンピュータによって読み出し可能に記憶したことを特徴とする記憶媒体。
【発明の詳細な説明】
【技術分野】
【０００１】
本発明は、校正の対象となる画像の辺縁にその校正の管理を行うための画像を付加したカラープルーフを作成する画像出力システム、制御装置、画像出力方法、その方法を実行させるためのプログラム、及び、そのプログラムを記憶した記憶媒体に関し、特に、校正の対象となる画像の辺縁にその校正の管理を行うための画像が付加されたカラープルーフ用画像と、校正の対象となった画像のみから成る印刷用画像の双方を効率良く出力する技術に関する。
【背景技術】
【０００２】
近年では、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、ページ面付けする作業が一般化し、フルディジタルでの編集も珍しくなくなってきている。
【０００３】
このような印刷製版工程では、さらなる効率化を目指して、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルムや印刷版にムダが生じ、また、余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められるようになった。
【０００６】
このようなＤＤＣＰは、例えばページ面付け済みの画像データをイメージセッタなどで製版用フィルム上に記録したり、プレートセッタ（以下、ＣＴＰと称する）で直接印刷版を作成する印刷作業を行ったり、ＣＴＣで印刷機のシリンダー上に巻かれた印刷版に直接画像記録を行ったりなどする前に、これを再現する色見本であるＤＣＰ（Ｄｉｇｉｔａｌ  Ｃｏｌｏｒ  Ｐｒｏｏｆ）を作成して、その絵柄、色調等の校正を行うために使用される。
【０００７】
さらに、このようなＤＤＣＰを使用して、ＤＣＰを作成する前に、カラーレーザープリンタ等の汎用プリンタにより単ページの画像データ（ページ面付けする前の画像データ）の小サイズ出力を行い、その出力物であるカラーカンプの絵柄、色調、文章文字等の校正を行うことが行われる。
【０００８】
このように、印刷製版工程では、印刷作業を行う前に、ＤＤＣＰにより出力対象の絵柄、色調、文章文字等の校正を行うためのカラーカンプやＤＣＰを作成して、その校正を行うことが一般的となっている。
【０００９】
ところで、最近では、カラーレーザープリンタの性能向上に伴い、安価で高速に高品位なカラー出力を行うことが可能になってきたことから、ＤＣＰを作成する用途に、このカラーレーザープリンタを使用することが試みられている。
【００１０】
このカラーレーザープリンタとしては、例えば特開平５−４８８５７号公報に開示される電子写真方式のカラーレーザープリンタや、スキャナ・コピア・ファクシミリ機能を併せ持つ複合機等を挙げることができる（例えば、特許文献１参照）。
【００１１】
ところで、上述したＤＤＣＰにおいて、色校正に用いられる画像データは、工程上の品質保証の観点から、画像出力機であるＣｏｍｐｕｔｅｒ  Ｔｏ  Ｐｌａｔｅ（ＣＴＰ：デジタル刷版出力機）に出力する画像データと同一のデータを用いることが好ましい。この画像データは、クライアント端末から送信された汎用のページ記述言語（例えば、Ｐｏｓｔ  ＳｃｒｉｐｔやＰＤＦ）を、ＣＴＰに接続されているラスターイメージプロセッサ（以下、ＣＴＰ用ＲＩＰと称する）において解析加工（文字フォント情報などのベクトルデータをラスター化若しくはアウトライン化）した後のデジタルファイルである。これをＣＴＰとＤＣＰ作成装置との間で使いまわすことによって、ＲＩＰ時間を短縮し、ＲＩＰ違いによる出力結果の相違を無くすことができる。
【００１２】
また、上述したＤＤＣＰによって作成されるＤＣＰは、印刷会社から印刷発注主やデザイナーへの色見本提示として使用されることから、これら印刷発注主やデザイナーから指示を受けて、その都度修正を行ったものを複数回にわたって出力することが多い。この際、印刷用の画像の辺縁に、校正の管理を行うための情報（以下、校正管理情報と称する）として、例えば印刷発注会社名（ロゴ）や初校・再校・再々校・念校といった校正フェーズの識別情報、校正を行った担当者名などを明記することが必要とされる。この他、Ｃ、Ｍ、Ｙ、Ｋ各色のベタ濃度を確認するために「色玉」と称されるカラーチャートを添付することが必要とされる場合もある。
【００１３】
即ち、印刷会社においては、このような校正管理情報を、予めスキャナなどでデジタル画像化したり、コンピュータ上でデジタル画像ファイルとして作成したりするなどして、制御装置のレイアウトアプリケーション上で、それらを出力対象となる画像データの辺縁に配置した上で、その画像データをＤＣＰ用画像データとし、これをＤＣＰ作成装置、若しくは、カラーレーザープリンタによって出力して、得られたＤＣＰを印刷発注主やデザイナーに提示することとなっている。
【００１４】
因みに、従来のカラーレーザープリンタは、一般的にＡ３サイズ程度までの出力しか行えなかったが、最近のカラーレーザープリンタでは、Ａ３ノビサイズ（Ａ３定型サイズより若干大きいサイズ）まで出力することが可能になってきたことから、このようなＤＣＰを作成する装置として本格的な活用が始まっている。
【００１５】
ところで、上述したように、ＣＴＰ用ＲＩＰで解析加工された後のデジタルファイルをＤＣＰ作成装置としてのカラーレーザープリンタとＣＴＰの間で使いまわす場合においては、ＣＴＰ出力において、上述した校正管理情報が印刷対象となる画像データに付加されているのは好ましくない。即ち、上述した校正管理情報を除いたかたち（印刷対象となる画像データのみ）で画像データを構成しておく必要がある。
【００１６】
しかしながら、このように画像データを印刷対象となる画像データのみで構成した場合には、ＤＣＰを作成するべく、これをカラーレーザープリンタへ出力する際に、当該画像データに対して上述した校正管理情報を添付する手段が存在しないことになる。
【００１７】
確かに、従来のカラーレーザープリンタの中には、例えば特開平７−３３６５２３号公報に記載されるように、カラーレーザープリンタに付属されたスキャナによって所定の画像情報が紙出力されたものをスキャンして、これを印刷対象となる画像に合成することを可能にしたものが提案されている（例えば、特許文献２参照）。
【００１８】
【特許文献１】特開平５−４８８５７号公報（段落〔００１１〕‐〔００７０〕、第１図乃至第１３図）
【特許文献２】特開平７−３３６５２３号公報（段落〔００１３〕‐〔００２９〕、第１図及び第４図）
【発明の開示】
【発明が解決しようとする課題】
【００１９】
しかしながら、このようなカラーレーザープリンタを印刷製版工程に使用した場合には、ＤＣＰを出力する度に、上述した校正管理情報を紙出力したものをスキャンする操作が必要となる。即ち、ＤＣＰを出力する度に、画像データを再構成する必要がある。また、スキャンした校正管理情報、例えばカラーチャートが適正な色調や解像度となっている保証は無く、適正にＤＣＰを作成することは困難である。
【００２０】
本発明は、上記事情を鑑みてなされたものであり、その目的とするところは、校正の対象となる画像の辺縁にその校正の管理を行うための画像が付加されたカラープルーフ用画像と、校正の対象となった画像のみから成る印刷用画像の双方を効率良く出力することができる画像出力システム、制御装置、画像出力方法、その方法を実行させるためのプログラム、及び、そのプログラムを記憶した記憶媒体を提供することにある。
【課題を解決するための手段】
【００２１】
上記課題を解決するために、請求項１記載の発明は、外部装置から受けた主たるラスター画像データを保存する保存手段と、前記主たるラスター画像データの辺縁に配置するための従属画像データを予め記憶する記憶手段と、記録用紙の画像出力領域に相当するデータ領域内に、前記保存された主たるラスター画像データを配置すると共に、その辺縁に前記記憶された従属画像データを配置する画像配置手段と、前記データ領域内に主たるラスター画像データ及び従属画像データが配置されたカラープルーフ用ラスター画像データを出力指示信号と共に送信する出力制御手段と、を有する制御装置と、前記送信されたカラープルーフ用ラスター画像データと出力指示信号を受けて、前記カラープルーフ用ラスター画像データに基づく画像を前記記録用紙に出力することでカラープルーフを作成する画像出力装置と、を備えたことを特徴とする。
【００２２】
上記課題を解決するために、請求項３記載の発明は、外部装置から受けた主たる画像データを保存する保存手段と、前記主たる画像データの辺縁に配置するための従属画像データを予め記憶する記憶手段と、前記保存された主たる画像データをラスター化することで主たるラスター画像データを生成する加工手段と、記録用紙の画像出力領域に相当するデータ領域内に、前記生成された主たるラスター画像データを配置すると共に、その辺縁に前記記憶された従属画像データを配置する画像配置手段と、前記データ領域内に主たるラスター画像データ及び従属画像データが配置されたカラープルーフ用ラスター画像データを出力指示信号と共に送信する出力制御手段と、を有する制御装置と、前記送信されたカラープルーフ用ラスター画像データと出力指示信号を受けて、前記カラープルーフ用ラスター画像データに基づく画像を前記記録用紙に出力することでカラープルーフを作成する画像出力装置と、を備えたことを特徴とする。
【００２３】
上記課題を解決するために、請求項８記載の発明は、ラスター画像データと出力指示信号を受けて前記ラスター画像データに基づく画像を記録用紙に出力することでカラープルーフを作成する画像出力装置に対して、その出力指示を行う制御装置であって、外部装置から受けた主たるラスター画像データを保存する保存手段と、前記主たるラスター画像データの辺縁に配置するための従属画像データを予め記憶する記憶手段と、前記記録用紙の画像出力領域に相当するデータ領域内に、前記保存された主たるラスター画像データを配置すると共に、その辺縁に前記記憶された従属画像データを配置する画像配置手段と、前記データ領域内に主たるラスター画像データ及び従属画像データが配置されたカラープルーフ用ラスター画像データを、前記ラスター画像データとして、前記出力指示信号と共に前記画像出力装置へ送信する出力制御手段と、を有することを特徴とする。
【００２４】
上記課題を解決するために、請求項１０記載の発明は、ラスター画像データと出力指示信号を受けて前記ラスター画像データに基づく画像を記録用紙に出力することでカラープルーフを作成する画像出力装置に対して、その出力指示を行う制御装置であって、外部装置から受けた主たる画像データを保存する保存手段と、前記主たる画像データの辺縁に配置するための従属画像データを予め記憶する記憶手段と、前記保存された主たる画像データをラスター化することで主たるラスター画像データを生成する加工手段と、前記記録用紙の画像出力領域に相当するデータ領域内に、前記生成された主たるラスター画像データを配置すると共に、その辺縁に前記記憶された従属画像データを配置する画像配置手段と、前記データ領域内に主たるラスター画像データ及び従属画像データが配置されたカラープルーフ用ラスター画像データを、前記ラスター画像データとして、前記出力指示信号と共に前記画像出力装置へ送信する出力制御手段と、を有することを特徴とする。
【００２５】
上記課題を解決するために、請求項１５記載の発明は、ラスター画像データと出力指示信号を受けて前記ラスター画像データに基づく画像を記録用紙に出力することでカラープルーフを作成する画像出力装置に対して、その出力指示を行う制御装置における画像出力方法であって、外部装置から受けた主たるラスター画像データを保存する保存ステップと、前記主たるラスター画像データの辺縁に配置するための従属画像データを予め記憶する記憶ステップと、前記記録用紙の画像出力領域に相当するデータ領域内に、前記保存された主たるラスター画像データを配置すると共に、その辺縁に前記記憶された従属画像データを配置する画像配置ステップと、前記データ領域内に主たるラスター画像データ及び従属画像データが配置されたカラープルーフ用ラスター画像データを、前記ラスター画像データとして、前記出力指示信号と共に前記画像出力装置へ送信する出力制御ステップと、を含むことを特徴とする。
【００２６】
上記課題を解決するために、請求項１７記載の発明は、ラスター画像データと出力指示信号を受けて前記ラスター画像データに基づく画像を記録用紙に出力することでカラープルーフを作成する画像出力装置に対して、その出力指示を行う制御装置における画像出力方法であって、外部装置から受けた主たる画像データを保存する保存ステップと、前記主たる画像データの辺縁に配置するための従属画像データを予め記憶する記憶ステップと、前記保存された主たる画像データをラスター化することで主たるラスター画像データを生成する加工ステップと、前記記録用紙の画像出力領域に相当するデータ領域内に、前記生成された主たるラスター画像データを配置すると共に、その辺縁に前記記憶された従属画像データを配置する画像配置ステップと、前記データ領域内に主たるラスター画像データ及び従属画像データが配置されたカラープルーフ用ラスター画像データを、前記ラスター画像データとして、前記出力指示信号と共に前記画像出力装置へ送信する出力制御ステップと、を含むことを特徴とする。
【００２７】
上記課題を解決するために、請求項２２記載の発明は、ラスター画像データと出力指示信号を受けて前記ラスター画像データに基づく画像を記録用紙に出力することでカラープルーフを作成する画像出力装置に対して、その出力指示を行う制御装置のコンピュータにおいて実行されるプログラムであって、外部装置から受けた主たるラスター画像データを保存する保存処理ステップと、前記主たるラスター画像データの辺縁に配置するための従属画像データを予め記憶する記憶処理ステップと、前記記録用紙の画像出力領域に相当するデータ領域内に、前記保存された主たるラスター画像データを配置すると共に、その辺縁に前記記憶された従属画像データを配置する画像配置処理ステップと、前記データ領域内に主たるラスター画像データ及び従属画像データが配置されたカラープルーフ用ラスター画像データを、前記ラスター画像データとして、前記出力指示信号と共に前記画像出力装置へ送信する出力制御処理ステップと、を含むことを特徴とする。
【００２８】
上記課題を解決するために、請求項２４記載の発明は、ラスター画像データと出力指示信号を受けて前記ラスター画像データに基づく画像を記録用紙に出力することでカラープルーフを作成する画像出力装置に対して、その出力指示を行う制御装置のコンピュータにおいて実行されるプログラムであって、外部装置から受けた主たる画像データを保存する保存処理ステップと、前記主たる画像データの辺縁に配置するための従属画像データを予め記憶する記憶処理ステップと、前記保存された主たる画像データをラスター化することで主たるラスター画像データを生成する加工処理ステップと、前記記録用紙の画像出力領域に相当するデータ領域内に、前記生成された主たるラスター画像データを配置すると共に、その辺縁に前記記憶された従属画像データを配置する画像配置処理ステップと、前記データ領域内に主たるラスター画像データ及び従属画像データが配置されたカラープルーフ用ラスター画像データを、前記ラスター画像データとして、前記出力指示信号と共に前記画像出力装置へ送信する出力制御処理ステップと、を含むことを特徴とする。
【００２９】
上記課題を解決するために、請求項２９記載の発明は、請求項２２乃至請求項２８の何れか一項に記載のプログラムを前記制御装置のコンピュータによって読み出し可能に記憶したことを特徴とする。
【発明の効果】
【００３０】
本発明に係る画像出力システム、制御装置、画像出力方法によれば、校正の対象となる画像の辺縁にその校正の管理を行うための画像を付加したカラープルーフ用画像と、校正の対象となった画像のみから成る印刷用画像の双方を出力する場合に、カラープルーフ用画像を出力する制御装置において、校正の対象となる画像データの辺縁に校正の管理を行うための画像データを配置することのみでカラープルーフ用画像データを作成することができることから、カラープルーフにおいては、印刷用画像データと同様の色調を有する画像を出力することができると共に、作業者においては、カラープルーフ用画像データを作成する際に、改めて画像データを再構成する必要がなく、その作業負荷を低減することができる。即ち、カラープルーフ用画像データと印刷用画像の双方を効率良く出力することができる。
【発明を実施するための最良の形態】
【００３１】
以下、本発明に係る画像出力システム、制御装置、画像出力方法、その方法を実行させるためのプログラム、及び、そのプログラムを記憶した記憶媒体の好適な実施の形態の一例について、図面を参照して具体的に説明する。
【００３２】
［画像出力システム］
まず、本実施形態における画像出力システムのシステム構成及び概略動作について、印刷製版工程の流れを踏みつつ、図１を参照して、図２に示すフローチャートの流れに沿って説明する。
【００３３】
＜システム構成＞
図１に示すように、当該画像出力システムは、画像データの画像編集、例えば面付け作業を行うための、少なくとも１台のクライアント端末１と、このクライアント端末１からネットワークを介して送信された、例えばＰｏｓｔＳｃｒｉｐｔで記述されたカンプ用画像データ（ページ面付けする前の単ページの画像データ）や、後述するＣＴＰ用ＲＩＰ４から送信されたＲＩＰ処理（例えばＰｏｓｔＳｃｒｉｐｔ等で記述された画像データをラスター画像データ（カラーレーザープリンタ３の出力解像度にあわせたビットマップデータ）に変換する処理）の施された印刷用画像データ（カンプ用画像データを複数面付けした画像データ）を解析して、当該画像データがＲＩＰ処理を施されていない場合に、これにＲＩＰ処理を施し、さらに、当該ラスター化された画像データの辺縁に、必要に応じて、後述する校正管理情報を含む画像データを配置し、当該ラスター画像データと共に出力指示信号、具体的には、当該ラスター画像データの出力指示や当該ラスター画像データに基づく画像を出力する記録用紙のサイズ及び種類を指定する指示信号等を、後述する画像出力装置であるカラーレーザープリンタ３に送信する制御装置２と、この制御装置２から送信されたカンプ用画像データに基づく画像や、後述するＣＴＰ用ＲＩＰ４から送信されたラスター画像データに基づく画像を出力指示信号に従って該当するサイズ及び種類の記録用紙に出力するカラーレーザープリンタ３と、クライアント端末１から送信された、例えばＰｏｓｔＳｃｒｉｐｔで記述された印刷用画像データにＲＩＰ処理（ＣＴＰ６やＤＣＰ作成装置７の出力解像度にあわせてビットマップデータに変換する処理）を施した後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信されたラスター画像データに基づく画像をＤＣＰとして出力するＤＣＰ作成装置７と、このＣＴＰ用ＲＩＰ４から送信された印刷用画像データに基づく画像を出力するＣＴＰ６とから構成されている。
【００３４】
尚、クライアント端末１、制御装置２、ＣＴＰ用ＲＩＰ４及びＤＣＰ制御装置５は、各々、コンピュータ端末として動作するものであって、コンピュータ本体、マウスやキーボード等の操作手段、モニタ等の表示手段等を備え、所定の動作プログラムが組み込まれている。さらに、クライアント端末１は、画像編集を行うための編集プログラム、イメージスキャナ等の必要な画像入力機器を備えている。
【００３５】
また、カラーレーザープリンタ３は、電子写真方式の複写手段や、イメージスキャナ等のスキャン手段を備えるマルチファンクションプリンタであって、互いに異なるサイズや種類の記録用紙を収納する複数の給紙カセットと、この給紙カセットの各々に収納される記録用紙のサイズ及び種類を記憶する記憶手段等を備え、上述したように、制御装置２から送信された出力指示信号に従って、該当するサイズ及び種類の記録用紙を該当する給紙カセットから給紙して、その記録用紙にカンプ用画像データに基づく画像や印刷用画像データに基づく画像を出力する。
【００３６】
＜概略動作＞
図２に示すように、このような構成において、クライアント端末１にて画像編集された画像データは、制御装置２へ送信され、これを受けた制御装置２は、当該画像データを解析して、当該画像データにＲＩＰ処理が施されていない場合には、これにＲＩＰ処理を施し（ラスター画像データに変換し）、当該ラスター画像データと共に出力指示信号をカラーレーザープリンタ３へ送信し、これを受けたカラーレーザープリンタ３は、出力指示信号に従って、該当するサイズ及び種類の記録用紙にカラーカンプを出力する（Ｓ０１）。尚、此処に言う“カラーカンプ”とは、色付きの仕上がり見本のことであり、ページ面付けされる写真やイラストのダミーとして印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナーによって文字校正や色校正等の作業結果確認が行われる（Ｓ０２）。
【００３７】
ここで、印刷発注主やデザイナーにより問題がないことが確認された場合には（Ｓ０２、Ｙｅｓ）、クライアントである印刷会社の作業者によりクライアント端末１において面付け作業が行われる（Ｓ０３）。尚、此処に言う“面付け作業”とは、製版フィルムを的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００３８】
そして、印刷会社の作業者によりクライアント端末１からＣＴＰ用ＲＩＰ４へ面付け作業が行われた印刷用の画像データが送信されると、これを受けたＣＴＰ用ＲＩＰ４は、その印刷用の画像データに対してＲＩＰ処理を施す。具体的には、カラーレーザープリンタ３やＤＣＰ作成装置７、或いは、ＣＴＰ６の出力解像度にあわせてビットマップデータに変換することでラスター画像データを作成する（Ｓ０４）。ここで、ＤＣＰをカラーレーザープリンタ３にて作成する場合には、このラスター画像データは、ＣＴＰ用ＲＩＰ４から制御装置２へ送信され、これを受けた制御装置２は、当該ラスター画像データの辺縁に、後述する校正管理情報を含む画像データを配置し、これをＤＣＰ用画像データとして出力指示信号と共にカラーレーザープリンタ３へ送信し、これを受けたカラーレーザープリンタ３は、出力指示信号に従って、該当するサイズ及び種類の記録用紙に、その辺縁に校正管理情報を含む画像データが配置されたＤＣＰ用の画像データに基づく画像を出力する（Ｓ０５）。ここで、高精度のＤＣＰが必要になる場合には、ＣＴＰ用ＲＩＰ４は、ＤＣＰ用画像データをＤＣＰ制御装置５へ送信して、これを受けたＤＣＰ制御装置５は、ＤＣＰ作成装置７の出力制御を行い、ＤＣＰ作成装置７がそのＤＣＰ用の画像データに基づく画像を出力する（Ｓ０５）。尚、カラーレーザープリンタ３においてＤＣＰ用の画像データに基づく画像が出力される記録用紙は、出力情報に従って、印刷機により印刷される用紙と同様、若しくは、似通った種類のものが選択されて使用されることとする。
【００３９】
そして、ＤＣＰ用の画像データに基づく画像が出力された記録用紙、即ち、ＤＣＰの色校正が印刷発注主やデザイナーにより行われる。この際、校正を管理するための情報として、そのときの校正回数や校正担当者のサイン等が書き込まれる。そして、問題がないことが確認された場合には（Ｓ０６、Ｙｅｓ）、印刷発注主やデザイナーは、ＣＴＰ用ＲＩＰ４からラスター画像データである印刷用画像データ（ＤＣＰを作成する際に用いた画像データから上述した校正管理情報を含む画像データを除いたもの）をＣＴＰ６に送信して、これを受けたＣＴＰ６は、印刷版に直接画像記録を行う（Ｓ０７）。さらに、印刷会社の作業者は、その印刷版により印刷を行い、その印刷物である面付けされた画像の色校正が行われ、ここで、問題がないことが確認された場合には（Ｓ０８、Ｙｅｓ）、印刷機により印刷物を印刷する工程に移行する（Ｓ０９）。
【００４０】
［制御装置］
次に、当該画像出力システムを構成する制御装置２の詳細構成及び詳細動作について、図３、図５及び図６を参照しつつ、図４に示すフローチャートの流れに沿って説明する。尚、以下においては、制御装置２にてＣＴＰ用ＲＩＰ４から送信されたＲＩＰ処理が施された印刷用の画像データに対して、その辺縁に校正を行うための画像データ（以下、従属画像データと称する）を配置する処理を行う場合を例に採り説明する。
【００４１】
＜詳細構成＞
図３に示すように、制御装置２は、ＣＴＰ用ＲＩＰ４から受信した印刷用の画像データを保存する画像データ保存部２０と、この画像データ保存部２０に保存された印刷用の画像データを解析して、当該画像データにＲＩＰ処理を施されていない場合に、これにＲＩＰ処理を施す画像データ解析加工部２１と、この画像データ解析加工部２１から出力されたラスター画像データの辺縁に配置するための従属画像データ、より詳細には、校正の管理を行うための画像データとして、例えば、印刷発注会社のロゴ、校正回数の表示マーク、校正担当者のサイン記入欄、又は、前記印刷用画像の濃度調整を行うためのカラーチャート等を含む画像データを予め記憶する従属画像データ記憶部２２と、この画像データ解析加工部２１から出力されたラスター画像データの辺縁に、必要に応じて、具体的には、作業者が必要であると判断して、画像データ選択部２３により従属画像データ記憶部２２に記憶された複数の従属画像データの中から選択した従属画像データを、同じく、作業者が配置指定部２４により指定した位置に配置する画像データ配置部２５と、この画像データ配置部２５により従属画像データが配置されたＤＣＰ用ラスター画像データに対して、色調整やスクリーン処理（写真やイラストなどのように階調のある原稿を、印刷用の原稿に加工するために細かい点の集まり（網、網点、ハーフトーンドット等）に置き換える処理のこと）を施し、これを後述する出力制御部２７に出力するスクリーン処理部２６と、このスクリーン処理部２６によって色調整やスクリーン処理が施されたＤＣＰ用ラスター画像データを、その出力を指示する指示信号やその出力対象となる記録用紙のサイズ及び種類を指定する指定信号等を含む出力指示信号と共にカラーレーザープリンタ３へ送信する出力制御部２７と、後述する従属画像データレイアウト画面１０Ａや従属画像データ選択／配置指定画面１０Ｂ、画像データ配置部２５によって従属画像データが配置されたＤＣＰ用ラスター画像データに基づく画像を表示する表示部２８を備えている。
【００４２】
＜詳細動作＞
図４に示すように、このような構成において、制御装置２にＣＴＰ用ＲＩＰ４から印刷用の画像データが送信されると、画像データ保存部２０は、これを受けて、その送信された画像データを保存する（保存処理ステップ）。これを受けて、画像データ解析加工部２１は、その保存された画像データを解析することで、その画像サイズ（縦；Ｘ〔画素〕、横；Ｙ〔画素〕）等を取得すると共に（Ｓ２０）、当該画像データにＲＩＰ処理を施されていない場合に、これにＲＩＰ処理を施す（加工処理ステップ）。但し、ＣＴＰ用ＲＩＰ４から送信される画像データは、全てＲＩＰ処理が施されたラスター画像データとなっているため、本例においては、画像データ解析加工部２１がＲＩＰ処理を施す場合はない。尚、ＲＩＰ処理が施された印刷用の画像データは、不図示のバッファ（メモリにより構成される）に記憶される。
【００４３】
この際、当該装置２の表示部２８は、例えば図５に示すように、この画像データ解析加工部２１により解析された印刷用の画像データに関する情報、具体的には、当該画像データに基づく画像、当該画像データを出力する記録用紙の画像出力領域のサイズ等を、グラフィカルに表現した従属画像データレイアウト画面１０Ａを表示すると共に、例えば図６に示すように、従属画像データ記憶部２２に予め記憶された（記憶処理ステップ）複数の従属画像データの中から所望のものを複数選択可能で、且つ、それらを配置する位置を指定可能に表現した従属画像データ選択／配置指定画面１０Ｂを表示する（選択画面表示処理ステップ、指定画面表示ステップ）。尚、これら画面を構成するフレームデータは、従属画像データと共に従属画像データ記憶部２２に記憶されており、表示部２８は、それらのデータを読み出すことで、従属画像データレイアウト画面１０Ａや従属画像データ選択／配置指定画面１０Ｂを構成し、これを表示するものとする。ここで、画像データ解析加工部２１により解析された印刷用の画像データを出力する記録用紙の画像出力領域の大きさは、画像データ解析加工部２１によって取得された印刷用の画像データの画像サイズ（縦；Ｘ〔画素〕、横；Ｙ〔画素〕）に応じて、適正なものが従属画像データ記憶部２２から読み出されることとする。即ち、従属画像データ記憶部２２には、予め記録用紙の大きさに応じた画像出力領域の大きさが記憶されているものとする。
【００４４】
因みに、図６に示す従属画像データ選択／配置指定画面１０Ｂにおいては、“その他の情報欄”１０Ｂｃにおいて、画像データ解析加工部２１により解析された画像データの保存先や、出力対象とする出力機（カラーレーザープリンタ）、スクリーン処理を施す際の条件等を表示している。作業者は、当該装置２の操作手段を操作することで、この“その他の情報欄”１０Ｂｃにおいて、例えば出力機として、カラーレーザープリンタ３を指定し、スクリーン処理部２６における処理条件として、スクリーン形状やスクリーン線数を指定する。本例においては、さらに、画像データ解析加工部２１により解析された画像データを出力する対象となる記録用紙のサイズ及び種類が指定されることとする。これらの指定情報は、後述する出力制御部２７やスクリーン処理部２６における処理に反映される。
【００４５】
ここで、作業者が、画像データ解析加工部２１により解析された印刷用の画像データの辺縁に従属画像データを配置するべく、その操作手段である画像データ選択部２３の操作により当該従属画像データ選択／配置指定画面１０Ｂの従属画像データ指定欄１０Ｂａにおいて所望の従属画像データのデータ名を選択し、さらに、その操作手段である配置指定部２４の操作により当該従属画像データ選択／配置指定画面１０Ｂの配置指定欄１０Ｂｂにおいてそれらが配置される位置を指定すると、これを受けて、画像データ配置部２５は、画像データ解析加工部２１により解析された印刷用の画像データを、上述したバッファから読み出して、これを不図示の出力バッファ（メモリにより構成される）の当該画像データを出力する記録用紙の画像出力領域に相当するデータ領域内の指定された位置に配置、即ち、書き込んだ後、画像データ選択部２３により選択された従属画像データを従属画像データ記憶部２２に記憶された複数の従属画像データの中から読み出して、これを上述したデータ領域内の配置指定部２４により指定された位置に書き込む（画像配置処理ステップ）。尚、画像データ解析加工部２１から出力された印刷用の画像データは、位置情報を有するラスター画像データであることから、画像データ配置部２５は、上述した配置処理を適正に行うことができる。
【００４６】
この際、表示部２８は、図５に示すように、従属画像データレイアウト画面１０Ａにおいて、画像データ選択部２３によって選択された従属画像データに基づく画像を配置指定部２４によって指定された位置に配置した画像を表示する。因みに、図５に示す従属画像データレイアウト画面１０Ａと、図６に示す従属画像データ選択／配置指定画面１０Ｂは、互いに対応しており、図５に示す従属画像データレイアウト画面１０Ａにおいて、印刷用の画像データに基づく画像の辺縁に配置された従属画像データに基づく画像は、図６に示す従属画像データ選択／配置指定画面１０Ｂの従属画像データ指定欄１０Ｂａにおいて選択された４つの従属画像データである“データ１（印刷発注会社ロゴ）；データ名「ｌｏｇｏ」”、“データ２（校正回数表示マーク）；データ名「初校」”、“データ３（校正担当者サイン記入欄）；データ名「ｃｈａｒｇｅ」”、“データ４（出力濃度調整用カラーチャート）；データ名「色玉」”が、それぞれ配置指定欄１０Ｂｂにおいて指定された位置、即ち、印刷用の画像データの“右辺、外側”、“右辺、外側”、“右辺、外側”、“下辺、内側”に配置されたものとなっている。このような校正の管理を行うための情報を含む従属画像データが添付されることにより、実際の色校正においては、印刷発注主やデザイナーは、当該従属画像データが出力されたＤＣＰにおいて、印刷発注会社ロゴや色玉を確認しつつ色校正を行い、さらに、そのときの校正回数や校正を行った担当者のサイン等を書き込むことで、互いに当該校正のフェーズを確認することができる。ここで、表示部２８は、従属画像データ指定欄１０Ｂａにおいて表示された従属画像データのデータ名を、画像データ配置部２５を介して従属画像データ記憶部２２から取得するものとする。即ち、従属画像データ記憶部２２に記憶された従属画像データには、そのデータ名を示す情報が添付されているものとする。
【００４７】
ここで、画像データ配置部２５が、画像データ選択部２３によって選択された従属画像データを従属画像データ記憶部２２に記憶された複数の従属画像データの中から読み出して、これを当該画像データが配置される画像データ、即ち、画像データ解析加工部２１から出力された印刷用の画像データを出力する記録用紙の画像出力領域に相当するデータ領域内の配置指定部２４によって指定された位置に配置するプログラム処理について説明する。
【００４８】
画像データ配置部２５は、まず、従属画像データ選択／配置指定画面１０Ｂの従属画像データ指定欄１０Ｂａにおいて選択された従属画像データを従属画像データ記憶部２２に記憶された複数の従属画像データの中から読み出して、それらの画像サイズ（縦；ｘ１〔画素〕＊横；ｙ１〔画素〕、縦；ｘ２〔画素〕＊横；ｙ２〔画素〕、・・・、縦；ｘｎ〔画素〕＊横；ｙｎ〔画素〕）を取得する（Ｓ２１）。そして、それらの従属画像データを記録用紙の画像出力領域に相当するデータ領域内に配置した場合のＤＣＰ用画像データの画像サイズ（縦；Ｈ〔画素〕＊横；Ｖ〔画素〕）を下記２式より算出する（Ｓ２２）。
〔式１〕
Ｈ＝Ｘ＋“左側に外付けされた従属画像データ群における最大のｘｎ値
＋“右側に外付けされた従属画像データ群における最大のｘｎ値
〔式２〕
Ｖ＝Ｙ＋“上側に外付けされた従属画像データ群における最大のｙｎ値
＋“下側に外付けされた従属画像データ群における最大のｙｎ値
【００４９】
画像データ配置部２５は、次に、取得されたＨ〔画素〕分の出力バッファを確保して（Ｓ２３）、ｖ＝０とした上で（Ｓ２４）、出力バッファを初期化、例えば全てのデータ領域に空データである“０”を書き込んだ後（Ｓ２５）、カラーレーザープリンタの走査線ｖ＝１ライン目における印刷用の画像データの画素情報を、画像データ解析加工部２１より取得して出力バッファの該当位置に上書きする（Ｓ２６）。次に、ｖ＝１ライン目における従属画像データの画素情報を、従属画像データ記憶部２２から取得して出力バッファの該当位置に上書きする（Ｓ２７）。そして、当該ｖ＝１ライン目における出力バッファの画素情報をスクリーン処理部２６に出力する（Ｓ２８）。
【００５０】
ここで、画像データ配置部２５は、ｖ＝Ｖであるか否かを判断して（Ｓ２９）、当然、ここではｖ＝１＜Ｖであるために（Ｓ２９、Ｎｏ）、新たにｖ＝ｖ＋１＝２とした上で、Ｓ２５へ移行する。これ以降、ｖ＝ＶとなるまでＳ２５〜Ｓ２９を繰り返す。
【００５１】
そして、画像データ配置部２５は、ｖ＝Ｖとなった時点（Ｓ２９、Ｙｅｓ）、即ち、全ての走査ラインに対応する画素情報をスクリーン処理部２６に出力した時点で、出力バッファを開放して（Ｓ３０）、処理を終了する。
【００５２】
これを受けて、スクリーン処理部２６は、この画像データ配置部２５から出力された走査線毎のＤＣＰ用ラスター画像データに対して、順次、色調整やスクリーン処理を施し、これを出力制御部２７に出力する。
【００５３】
これを受けて、出力制御部２７は、このスクリーン処理部２６から出力された走査線毎のＤＣＰ用ラスター画像データを、順次、その出力を指示する指示信号と当該ラスター画像データの出力対象となる記録用紙のサイズ及び種類を指定する指定信号等を含む出力指示信号と共にカラーレーザープリンタ３へ送信する（出力制御処理ステップ）。
【００５４】
これを受けたカラーレーザープリンタ３は、送信された出力指示信号に従って、指定されたサイズ及び種類の記録用紙を収納する給紙カセットを選択した上で、当該選択された給紙カセットより給紙する記録用紙に、送信されたＤＣＰ用ラスター画像データに基づく画像を走査線毎に、順次、出力する。これにより印刷用の画像の辺縁に校正の管理を行うための画像が付加されたＤＣＰが作成される。
【００５５】
以上に説明したように、本実施形態における画像出力システム、制御装置、画像出力方法によれば、校正の対象となる画像の辺縁にその校正の管理を行うための画像を付加したＤＣＰ用画像データをカラーレーザープリンタ３によって出力し、校正の対象となった画像のみから成る印刷用画像データをＣＴＰ用ＲＩＰ４からＣＴＰ６へ送信し、ＣＴＰ６によって出力する場合に、カラーレーザープリンタ３に対してＤＣＰ用画像データを出力する制御装置２において、校正の対象となる画像データの辺縁に校正の管理を行うための画像データを配置することのみでＤＣＰ用画像データを作成することができるので、ＤＣＰにおいては、印刷用画像データと同様の色調を有する画像を出力することができると共に、作業者においては、ＤＣＰ用画像データを作成する際に、改めて画像データを再構成する必要がなく、その作業負荷を低減することができる。即ち、ＤＣＰ用画像と印刷用画像の双方を効率良く出力することができる。
【００５６】
また、本実施形態における画像出力システム、制御装置、画像出力方法によれば、安価で高速出力が可能なカラーレーザープリンタ３を、ＤＣＰを作成する用途に本格的に活用することができるので、運用コストを低減することができる。
【００５７】
［プログラム及びこれを記憶する記憶媒体］
尚、以上に説明した当該画像出力システムを構成する制御装置２において行われる処理、具体的には、図４を参照しつつ説明した（記憶処理ステップ）〜（出力制御処理ステップ）までの処理を当該装置２のコンピュータ本体において実行させるためのプログラムは、当該装置２に内蔵、若しくは、接続される記憶媒体に記憶されており、同じく当該装置２に内蔵される演算部により、これが読み出されて実行されるものとする。
【００５８】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００５９】
以上に説明したように、本実施形態における画像出力方法を実行させるためのプログラム、及び、そのプログラムを記憶した記憶媒体によれば、上述した処理を制御装置２のコンピュータ本体がプログラムを実行することによって行うことができるので、低コストにてこれを実現することができる。
【００６０】
尚、以上に説明した本実施形態における画像出力システムは、本発明の好適な一実施形態を例示したものであり、その他の実施形態を除外するものではない。
【００６１】
例えば、本実施形態においては、制御装置２の画像データ配置部２５がＣＴＰ用ＲＩＰ４から送信されたＲＩＰ処理が施された印刷用の画像データに対して、その辺縁に従属画像データを配置する処理を行う場合を例に採り説明したが、この他にも、例えば制御装置２の画像データ解析加工部２１がクライアント端末１から送信されたＲＩＰ処理が施されていないカンプ用画像データに対してＲＩＰ処理を施した後、画像データ配置部２５がその辺縁に従属画像データを配置する処理を行うことにしても良い。
【００６２】
また、本実施形態においては、従属画像データとして、“印刷発注会社ロゴ”、“校正回数表示マーク”、“校正担当者サイン記入欄”及び“出力濃度調整用カラーチャート「色玉」”の４つを例に挙げたが、この他にも、校正の管理を行うための情報を含む画像データであれば良い。また、それらが配置される位置として、印刷用の画像データの“右辺、外側”、“下辺、内側”の２つを例に挙げたが、この他にも、例えば“右辺、内側”、“左辺、内側又は外側”、“上辺、内側又は外側”、“下辺、外側”、さらには、“中央”等であっても良い。
【図面の簡単な説明】
【００６３】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示す制御装置の詳細構成を表す機能ブロック図である。
【図４】図３に示す画像データ配置部が従属画像データの配置処理を行う際のプログラムの流れについて説明するためのフローチャートである。
【図５】図１に示す制御装置の表示部において表示される従属画像データレイアウト画面の構成を表す構成図である。
【図６】図１に示す制御装置の表示において表示される従属画像データ選択／配置指定画面の構成を表す構成図である。
【符号の説明】
【００６４】
１  クライアント端末
２  制御装置
２０  画像データ保存部
２１  画像データ解析部
２２  従属画像データ記憶部
２３  画像データ選択部
２４  配置指定部
２５  画像データ配置部
２６  スクリーン処理部
２７  出力制御部
２８  表示部
３  カラーレーザープリンタ
４  ＣＴＰ用ＲＩＰ
５  ＤＣＰ制御装置
６  ＣＴＰ
７  ＤＣＰ作成装置
１０Ａ  従属画像データレイアウト画面
１０Ｂ  従属画像データ選択／配置指定画面
【図１】
2005119089.tif 000003
【図２】
2005119089.tif 000004
【図３】
2005119089.tif 000005
【図４】
2005119089.tif 000006
【図５】
2005119089.tif 000007
【図６】
2005119089.tif 000008